(57)【要約】【課題】特にロービーム用配光パターンのうちのホットゾーンの照度を高め、遠方視認性を向上させた車両用前照灯を提供する。【解決手段】車両用前照灯10は、面状光源11と、斜め及び水平のカットオフラインCL2,CL1を有するロービーム用配光パターンPLを形成するリフレクタ12と、を備え、面状光源11は、リフレクタ12の上方または下方に配置され、リフレクタ12は、配置角大の第一領域θbと、面状光源11の光源像22iが狭小となる配置角小の第二領域θsで、配光パターンPLのホットゾーンPAを形成し、第一領域θbは、面状光源11の発光面22aと直交する線を挟んで、配置角７５度周辺に広がる領域であり、第二領域θsは、配置角０度から１５度周辺に広がる領域である。【選択図】図５
2019021643.tif 000002
【特許請求の範囲】
【請求項１】
面状に発光する光源と、
前記光源が出射した光を前方へ反射して、エルボー点で交差する斜めカットオフラインおよび水平カットオフラインを有するロービーム用配光パターンを形成するリフレクタと、を備え、
前記光源は、前記リフレクタの上方または下方に配置され、
前記リフレクタは、その反射面に、反射特性が異なる複数のセグメントを備え、
前記セグメントは、前記リフレクタを正面視して、
前記光源の発光面からの配置角が大きい第一領域と、
前記光源の発光面からの配置角が小さい第二領域とで、前記配光パターンのホットゾーンを形成し、
前記第一領域と前記第二領域との間となる配置角中の第三領域で、前記配光パターンの拡散ゾーンを形成し、
前記第一領域は、前記光源の発光面と直交する線を挟んで、配置角７５度周辺に広がる領域であり、
前記第二領域は、配置角０度から１５度周辺に広がる領域であることを特徴とする車両用前照灯。
【請求項２】
前記第二領域のセグメントのうち、主に自車線側を照射するものは、前記ホットゾーンのうちの前記エルボー点を含む前記斜めカットオフラインを含む域を照射することを特徴とする請求項１に記載の車両用前照灯。
【請求項３】
前記第二領域のセグメントのうち、主に対向車線側を照射するものは、前記ホットゾーンのうちの前記エルボー点を含む前記水平カットオフラインを含む域を照射することを特徴とする請求項１または２に記載の車両用前照灯。
【請求項４】
前記光源は、発光面の右端または左端が、前記リフレクタの焦点に一致するように配置されていることを特徴とする請求項１〜３の何れかに記載の車両用前照灯。
【発明の詳細な説明】
【技術分野】
【０００１】
本願発明は、灯具に関し、特に、面状に発光する光源からの出射光をリフレクタで反射させて配光を形成する車両用前照灯に関する。
【背景技術】
【０００２】
近年、ＬＥＤ（Light Emitting Diode）などの面状に発光する光源を用いた車両用前照灯の開発が進められている。車両用前照灯の従来光源であるハロゲンバルブやＨＩＤ（High  Intensity  Discharge）バルブの照射角度が全方位（３６０度）であるのに対し、面状光源は半分のおよそ半球状（約１８０度）の照射角度であることが特徴の一つである。ＬＥＤを用いた前照灯には、光源光を、反射面を反射特性が異なる複数のセグメントに分けたリフレクタで反射させ、これらの投影像を合成することで、斜め及び水平のカットオフラインを有するロービーム用配光パターンを形成するものがある。例えば特許文献１では、ＬＥＤを用いて面状に発光させた光源を用い、リフレクタを正面視して、中央域のセグメントで、前記配光パターンのうちのホットゾーンを形成し、その左右域のセグメントで、前記配光パターンのうちの拡散ゾーンを形成する前照灯が提案されている。
【先行技術文献】
【特許文献】
【０００３】
【特許文献１】特開２０１２−２２７１０３号公報（図１〜図７等）
【発明の概要】
【発明が解決しようとする課題】
【０００４】
しかし、上記のような構成でロービーム用配光パターンを形成すると、カットオフライン近傍の照度が弱いという問題があった。
【０００５】
本発明は、前記従来技術の問題点に鑑みてなされたもので、その目的は、面状に発光する光源からの出射光をリフレクタで反射させてロービーム用配光パターンを形成する灯具で、面状光源の特性を有効活用するリフレクタの改良によって、特にロービーム用配光パターンのうちのカットオフライン近傍の照度を高め、遠方視認性を向上させた車両用前照灯を提供することである。
【課題を解決するための手段】
【０００６】
前記目的を達成するために、本発明の１つの態様にかかる車両用前照灯では、面状に発光する光源と、前記光源が出射した光を前方へ反射して、エルボー点で交差する斜めカットオフラインおよび水平カットオフラインを有するロービーム用配光パターンを形成するリフレクタと、を備え、前記光源は、前記リフレクタの上方または下方に配置され、前記リフレクタは、その反射面に、反射特性が異なる複数のセグメントを備え、前記セグメントは、前記リフレクタを正面視して、前記光源の発光面からの配置角が大きい第一領域と、前記光源の発光面からの配置角が小さい第二領域とで、前記配光パターンのホットゾーンを形成し、前記第一領域と前記第二領域との間となる配置角中の第三領域で、前記配光パターンの拡散ゾーンを形成し、前記第一領域は、前記光源の発光面と直交する線を挟んで、配置角７５度周辺に広がる領域であり、前記第二領域は、配置角０度から１５度周辺に広がる領域である。
【０００７】
この構成によれば、面状に発光する面状光源の光源像の特性を考慮した上で、従来拡散パターン形成用途であった第二領域を、ホットゾーン形成用途に転じたので、ホットゾーンの照度を上げることができる。すなわち、面状光源は、点光源や立体光源とは異なり、光源との配置角が小さい位置ほど、その光源像は小さく集光して映りこむ。特に、光源との配置角が０度から１５度周辺に広がる第二領域を、ホットゾーン形成用途に用いることで、この特性を最大限利用して、ホットゾーンに、狭小で光度の高い光源像を集中的に投影（合成）させることができるため、ホットゾーンの照度を上げることができる。
【０００８】
上記態様において、前記第二領域のセグメントのうち、主に自車線側を照射するものは、前記ホットゾーンのうちの前記エルボー点を含む前記斜めカットオフラインを含む域を照射することも好ましい。
【０００９】
この構成によれば、前記第二領域に映る狭小で光度の高い光源像を、前記エルボー点近傍の斜めカットオフラインを含む域に集中的に投影させるので、斜めカットオフライン近傍の照度を上げることができる。
【００１０】
上記態様において、前記第二領域のセグメントのうち、主に対向車線側を照射するものは、前記ホットゾーンのうちの前記エルボー点を含む前記水平カットオフラインを含む域を照射することも好ましい。
【００１１】
この構成によれば、前記第二領域に映る狭小で光度の高い光源像を、前記エルボー点近傍の水平カットオフラインを含む域に集中的に投影させるので、水平カットオフライン近傍の照度を上げることができる。
【００１２】
上記態様において、前記光源は、発光面の右端または左端が、前記リフレクタの焦点に一致するように配置されていることも好ましい。
【００１３】
この構成によれば、前記面状光源の投影像を、より前記斜めカットオフラインに張り付くように形成することができるので、遠方視認性がさらに向上する。
【発明の効果】
【００１４】
本発明によれば、ロービーム用配光パターンのホットゾーンの照度が高まり、遠方視認性が向上する。
【図面の簡単な説明】
【００１５】
【図１】本発明の一実施形態に係る車両用前照灯の正面図
【図２】同前照灯の縦断面図
【図３】面状光源の斜視図
【図４】灯具ユニットによって仮想鉛直スクリーン上に形成されるロービーム用配光パターンを示す図
【図５】反射面の構成を説明するためのリフレクタの正面図
【図６】図６（ａ）は、図１の視点Ａから見た面状光源の光源像、図６（ｂ）は、図１の視点Ｂから見た面状光源の光源像、図６（ｃ）は、図１の視点Ｃから見た面状光源の光源像
【図７】図７（ａ）は第２のホットゾーン形成部に含まれるセグメントを模式的に示す図、図７（ｂ）は、図７（ａ）のセグメントで仮想鉛直スクリーン上に形成されるホットゾーン用配光パターンを示す図
【図８】図８（ａ）は第３のホットゾーン形成部に含まれるセグメントを模式的に示す図、図８（ｂ）は、図８（ａ）のセグメントで仮想鉛直スクリーン上に形成されるホットゾーン用配光パターンを示す図
【図９】図９（ａ）は第１のホットゾーン形成部に含まれるセグメントを模式的に示す図、図９（ｂ）は、図９（ａ）のセグメントで仮想鉛直スクリーン上に形成されるホットゾーン用配光パターンを示す図
【図１０】本発明の一実施形態に係る配光と従来の形態に係る配光との比較図
【発明を実施するための形態】
【００１６】
次に、本発明の好適な実施形態を図面を参照しながら説明する。図１は本発明の一実施形態に係る車両用前照灯１０の正面図、図２は同前照灯１０の縦断面図（図１のＩＩ−ＩＩ線に沿う断面図）、である。
【００１７】
車両用前照灯１０は、開口部を有する箱状のランプボディ２と、前記開口部に取り付けられた透光性のある樹脂又はガラス等で形成された前面カバー４と、で画成された灯室内に、灯具ユニット６を有する。車両用前照灯１０は、車両前部の左右にそれぞれ設けられており、以下の構成は左右共通である。図示のように、前面カバー４の方向が本明細書で言う前方（矢印Ｆ）、ランプボディ２の方向が本明細書で言う後方（矢印Ｂ）である。
【００１８】
灯具ユニット６は、光源となる面状光源１１と、リフレクタ１２と、これらの支持部材となる垂直支持プレート１４及び水平支持プレート１５と、を有する。灯具ユニット６の灯室内前方には、発光域を除く域に、灯具ユニット６の構成を灯具前方から目隠しするためのエクステンション（図示せず）が設けられている。
【００１９】
垂直支持プレート１４は、コーナー部のうち３か所がエイミングスクリュ１６によってランプボディ２に固定され、上下及び左右方向に傾動調整可能である。水平支持プレート１５は、垂直支持プレート１４の前面に固定される。面状光源１１は、水平支持プレート１５の下面に取り付けられている。水平支持プレート１５は、アルミニウムなどの熱伝導率が高い金属製であって、水平支持プレート１５の上面は、放熱フィン１７が一体形成されており、ヒートシンクとして機能する。このため、面状光源１１の発熱は、放熱フィン１７を介して効率良く冷却される。
【００２０】
図３は、面状光源１１の斜視図である。面状光源１１は、窒化アルミニウム製の基板２３上に、複数のＬＥＤチップ２１と蛍光体２２とを有する発光モジュールである。ＬＥＤチップ２１は、１ｍｍ四方のものが４つ、一列に並んで配置されている。ＬＥＤチップ２１には、主として青色光を発する青色ＬＥＤが採用されている。蛍光体２２は、ＬＥＤチップ２１の列上に線状に塗布されている。蛍光体２２は、青色光を黄色光に波長変換するものが採用されている。ＬＥＤチップ２１が発光すると、ＬＥＤチップ２１が発する青色光と、蛍光体２２によって波長変換された黄色光とが混色され、蛍光体２２の表面からは白色光が発せられる。すなわち、面状光源１１は、長方形状に発光する発光面（蛍光体の表面）２２ａを有し、かつ、発光面２２ａが向けられた方向に対して１８０度の照射角度を有する。なお、この照射角度の値は、厳密に１８０度である必要はなく、その前後の数値でも良い。また、ＬＥＤチップ２１は、主として紫外光など青色以外の他の波長を発するものでも良い。ＬＥＤチップ２１の数、形状については、上記は一例であって、面状に発光可能な形態に並べられれば良い。なお、蛍光体２２は公知であるため詳細は省略する。
【００２１】
リフレクタ１２は、回転放物面を基本形状として形成された反射面１２ａを有する光学部材であり、面状光源１１が出射した光を前方へ反射して、後述のロービーム用配光パターンＰＬを形成する。リフレクタ１２は、その基端部が、水平支持プレート１５の下方かつ垂直支持プレート１４の前面に取り付けられる。すなわち、面状光源１１は、リフレクタ１２の光軸Ａｘに対して垂直方向に設けられている（図２を参照）。なお、この意味は、面状光源１１がリフレクタ１２の光軸Ａｘに対して上方又は下方に配置されることを意味しており、必ずしも、図２のように、面状光源１１の発光面２２ａを下方に向けて配置し、面状光源１１の光軸Ａｙがリフレクタの光軸Ａｘと垂直に交わるようにする必要はない。すなわち、面状光源１１の発光面２２ａが灯具の前後方向に傾けて配置され、面状光源１１の光軸Ａｙとリフレクタの光軸Ａｘが傾斜して交わるように設けられてもよい。
【００２２】
リフレクタ１２の反射面１２ａは、後述する、反射特性が異なる複数のセグメントに分けられている。各セグメントは、滑らかな曲面として形成され、隣接するセグメント同士は、段差または折り目を介して接続されている。リフレクタ１２の各セグメントは、後述する第１のホットゾーン形成部３１、第２のホットゾーン形成部３２、第３のホットゾーン形成部３３、第１の拡散ゾーン形成部４１および第２の拡散ゾーン形成部４２に分けられている。この各セグメントで反射された投影像が合成して、以下のロービーム用配光パターンＰＬが形成される。
【００２３】
図４は灯具ユニット６によって仮想鉛直スクリーン上に形成されるロービーム用配光パターンＰＬを示す図である。灯具ユニット６は、面状光源１１が発した光を反射面１２ａで灯具前方に反射して、灯具前方２５ｍの位置に仮想的にたてられた仮想鉛直スクリーン上に、斜めカットオフラインＣＬ２及び水平カットオフラインＣＬ１を有するロービーム用配光パターンＰＬを形成する。水平カットオフラインＣＬ１は、仮想鉛直スクリーン上のＶ−Ｖ線より右側においてＨ−Ｈ線の下方に平行にのびる線、斜めカットオフラインＣＬ２は、仮想鉛直スクリーン上の水平カットオフラインＣＬ１とＶ−Ｖ線の交点から左方向に向けてＨ−Ｈ線に対して１５度の傾斜で立ち上がる線である。
【００２４】
ロービーム用配光パターンＰＬは、仮想鉛直スクリーン上の消点（Ｈ−Ｈ線とＶ−Ｖ線との交点）近傍域に、斜めカットオフラインＣＬ２及び水平カットオフラインＣＬ１を含み、他の域（後述のＰＢ域）よりも照度を高めた、ホットゾーンＰＡを有する。また、Ｖ−Ｖ線より左域では水平カットオフラインＣＬ１の下方に、Ｖ−Ｖ線より右域ではＨ−Ｈ線の下方に、ホットゾーンＰＡよりも広がった水平域と、Ｈ−Ｈ線の上方の斜めカットオフラインＣＬ２の延長域に、広範に広がる拡散ゾーンＰＢを有する。ロービーム用配光パターンＰＬは、拡散ゾーンＰＢとホットゾーンＰＡの合成により形成されている。
【００２５】
ここより、本願の要旨となるリフレクタ１２の反射面１２ａの構成について詳細を説明する。
【００２６】
図５は、反射面１２ａの構成を説明するためのリフレクタ１２の正面図である。リフレクタの反射面１２ａは、リフレクタ１２を正面視して、面状光源１１の発光面２２ａからの配置角θが大きい領域θｂと、発光面２２ａからの配置角θが小さい領域θｓと、その間となる発光面２２ａからの配置角θが中の領域θｍと、を有する。
【００２７】
ここで、本明細書において、配置角θとは、リフレクタ１２を正面視して、面状光源１１の発光面２２ａの中心を基準点とし、発光面２２ａの長手方向に基準点を通るように伸ばした線を水平基準０度とし、発光面２２ａと基準点で直交する線を９０度とする、０°≦θ≦９０°で表せるものとする。すなわち配置角θは、反射面１２ａに、９０度線を境に、左側領域と右側領域のそれぞれで定義される。したがって、配置角小の領域θｓ、配置角中の領域θｍおよび配置角大の領域θｂは、リフレクタの反射面１２ａに、左右に一対で存在する。
【００２８】
配置角大の領域θｂ、すなわち、配置角９０度周辺、好ましくは、配置角７５度周辺から９０度まで（９０度線から左右に１５度周辺まで）の領域には、第１のホットゾーン形成部３１が形成されている。
【００２９】
配置角小の領域θｓ、すなわち、配置角０度周辺、好ましくは、配置角０度から１５度周辺までの領域には、左側に第２のホットゾーン形成部３２、右側に第３のホットゾーン形成部３３が形成されている。なお、本明細書に云う「周辺」とは、例えば１５度周辺というときは、厳密に１５度線上と解釈するのではなく、１５度線のプラスマイナス数十度の領域を含むものであることを意味する。
【００３０】
そして、配置角小の領域θｓと配置角大の領域θｂの間となる領域が、配置角中の領域θｍであり、左側に第１の拡散ゾーン形成部４１、右側に第２の拡散ゾーン形成部４２が形成されている。
【００３１】
これら第１のホットゾーン形成部３１、第２のホットゾーン形成部３２および第３のホットゾーン形成部３３で、上記のホットゾーンＰＡを形成し、第１の拡散ゾーン形成部４１および第２の拡散ゾーン形成部４２で、上記の拡散ゾーンＰＢを形成している。なお、第１のホットゾーン形成部３１、第２のホットゾーン形成部３２および第３のホットゾーン形成部３３は、リフレクタ１２の形状の複雑化を避けるべく、配置角小の領域θｓ又は配置角大の領域θｂの全ての域を利用する必要はなく、配置角小の領域θｓおよび配置角大の領域θｂの中に、形成可能なエリアで最大に設けられるのが好ましい。
【００３２】
ここで、特許文献１のリフレクタの構成は、リフレクタを正面視して、中央域のセグメント、すなわち配置角大の領域θｂでホットゾーンＰＡを形成し、その他の域のセグメント、すなわち配置角小中の領域θｓ，θｍで拡散ゾーンＰＢを形成している。この構成に対し、本実施例のリフレクタ１２は、従来拡散ゾーンＰＢの形成に使われていた配置角小の領域θｓに、第２のホットゾーン形成部３２および第３のホットゾーン形成部３３が形成されている。この部分をホットゾーンＰＡ形成用に採用したのは、面状光源１１の光源像の特性を最大限に活用するためである。以下説明する。
【００３３】
図６（ａ）は、図１の視点Ａから見た面状光源１１の光源像、図６（ｂ）は、図１の視点Ｂから見た面状光源１１の光源像、図６（ｃ）は、図１の視点Ｃから見た面状光源１１の光源像、である。
【００３４】
図１の視点Ａ（配置角９０度線上の略中央位置）から面状光源１１を見ると、面状光源１１の発光面２２ａ（以下、光源像２２ｉとも称する）は、図６（ａ）のような長方形として見える。これに対し、同方向に、視点Ａよりも面状光源１１から離れた位置である図１の視点Ｂから面状光源１１を見ると、光源像２２ｉは、図６（ｂ）のように、視点Ａの光源像２２ｉよりも小さく見える。  また、面状光源１１との距離は視点Ａと同程度であるが、視点Ａより配置角θが小さい位置である図１の視点Ｃから面状光源１１を見ると、光源像２２ｉは、図６（ｃ）のように、視点Ａ、視点Ｂの光源像２２ｉよりも小さい台形状に見える。
【００３５】
このように、面状光源１１の光源像２２ｉは、光源からの距離が遠いほど、さらには、光源からの配置角θが小さいほど、小さく集光して映りこむ。したがって、この光源像２２ｉを投影すると、狭小な範囲に光度の高い投影像を形成することができる。点光源や立体光源では、このような角度や距離による光源像の差は、面状光源ほど生じないため、このことは、面状光源ならではの特性となる。
【００３６】
これを踏まえて、第１のホットゾーン形成部３１、第２のホットゾーン形成部３２、第３のホットゾーン形成部３３、第１の拡散ゾーン形成部４１および第２の拡散ゾーン形成部４２について詳細を説明する。
【００３７】
第１の拡散ゾーン形成部４１のセグメントは、この域内を、左右方向に四列、上下方向に三列に分割して形成されている。左から三列目、上から三列目のセグメントはさらに二分割され、結果、第１の拡散ゾーン形成部４１は、１３個のセグメントを有する（図５参照）。第１の拡散ゾーン形成部４１のセグメントの各々は、仮想鉛直スクリーン上のＨ−Ｈ線の下方に左寄りに広がる投影像を形成する。
【００３８】
第２の拡散ゾーン形成部４２のセグメントは、この域内を、左右方向に四列、上下方向に三列に分割して形成されている。結果、第２の拡散ゾーン形成部４２は、１２個のセグメントを有する（図５参照）。第２の拡散ゾーン形成部４２のセグメントの各々は、仮想鉛直スクリーン上のＨ−Ｈ線の下方に右寄りに広がる投影像を形成する。これらが合成されて、拡散ゾーンＰＢが形成される。この配光の詳細は、特許文献１に記載があるため省略する。
【００３９】
図７（ａ）は第２のホットゾーン形成部３２に含まれるセグメントＡ３２１、Ａ３２２を模式的に示す図であり、図７（ｂ）は、図７（ａ）のセグメントＡ３２１、Ａ３２２で仮想鉛直スクリーン上に形成されるホットゾーン用配光パターンＰＡ３２１、ＰＡ３２２を示す図である。
【００４０】
第２のホットゾーン形成部３２は、配置角０度〜１５度の域に、配置角１５度線と略平行な斜辺を有する斜辺台形状のセグメントＡ３２１と、配置角１５度〜３０度の域に、配置角１５度線と略平行な斜辺を有する平行四辺形状のセグメントＡ３２２と、が形成されている。なお、第２のホットゾーン形成部３２のセグメント分割数は、上下左右方向に任意でよく、配光設計を容易にするため、特に配置角１５度〜３０度周辺で分割数を増やして良い。セグメントＡ３２１、Ａ３２２は、面状光源１１の光源像２２ｉを投影して、ホットゾーンＰＡ内に、矩形の投影像ＰＡ３２１、ＰＡ３２２を、その一長辺が斜めカットオフラインＣＬ２と略一致する位置に形成する。セグメントＡ３２１は、セグメントＡ３２２より配置角θが小さい位置にあることを利用して、投影像ＰＡ３２２よりも狭小な投影像ＰＡ３２１を形成する。
【００４１】
図８（ａ）は第３のホットゾーン形成部３３に含まれるセグメントＡ３３１を模式的に示す図であり、図８（ｂ）は、図８（ａ）のセグメントＡ３３１で仮想鉛直スクリーン上に形成されるホットゾーン用配光パターンＰＡ３３１を示す図である。
【００４２】
第３のホットゾーン形成部３３は、配置角０度〜１５度の域に、水平な辺を有する長方形状のセグメントＡ３３１が形成されている。なお、第３のホットゾーン形成部３３のセグメント分割数も、上下左右方向に任意で良い。セグメントＡ３３１は、面状光源１１の光源像２２ｉを投影して、ホットゾーンＰＡ内に、矩形の投影像ＰＡ３３１を、その一長辺の略半分が水平カットオフラインＣＬ１と略一致する位置に形成する。
【００４３】
図９（ａ）は第１のホットゾーン形成部３１に含まれるセグメントＡ３１１〜Ａ３１９を模式的に示す図であり、図９（ｂ）は、図９（ａ）のセグメントＡ３１１〜Ａ３１９で仮想鉛直スクリーン上に形成されるホットゾーン用配光パターンＰＡ３１１〜ＰＡ３１９を示す図、である。
【００４４】
第１のホットゾーン形成部３１は、大きく左右方向に二列に分割されており、左領域のセグメントＡ３１１〜Ａ３１３と、右領域のセグメントＡ３１４〜Ａ３１９が形成されている。左領域のセグメントＡ３１１〜Ａ３１３は、上下方向３列に分割され、上から順にセグメントＡ３１１、Ａ３１２、Ａ３１３が形成されている。  右領域のセグメントＡ３１４〜Ａ３１９は、上下方向６列に分割され、上から順にセグメントＡ３１４、Ａ３１５、Ａ３１６、Ａ３１７、Ａ３１８、Ａ３１９が形成されている。セグメントＡ３１５〜Ａ３１９は、さらに左右方向に分割され、左側にセグメントＡ３１５´〜Ａ３１９´が、右側にセグメントＡ３１５´´〜Ａ３１９´´が形成されている。
【００４５】
左領域のセグメントＡ３１１〜Ａ３１３、右領域のセグメントＡ３１４は、長方形状に形成されている。右領域のセグメントＡ３１５は、配置角７５度線（９０度線から１５度）で、左側の斜辺台形状のセグメントＡ３１５´と、右側の斜辺台形状のセグメントＡ３１５´´に分割されている。セグメントＡ３１６は、配置角７６度線（９０度線から１５度周辺）で、左側の斜辺台形状のセグメントＡ３１６´と、右側の平行四辺形状のセグメントＡ３１６´´に分割されている。セグメントＡ３１７は、配置角７８度線（９０度線から１５度周辺）で、左側の斜辺台形状のセグメントＡ３１７´と、右側の平行四辺形状のセグメントＡ３１６´´に分割されている。セグメントＡ３１８は、配置角８０度線（９０度線から１５度周辺）で、左側の斜辺台形状のセグメントＡ３１８´と、右側の平行四辺形状のセグメントＡ３１８´´に分割されている。セグメントＡ３１９は、配置角８２度線（９０度線から１５度周辺）で、左側の斜辺台形状のセグメントＡ３１９´と、右側の平行四辺形状のセグメントＡ３１９´´に分割されている。このうち、セグメントＡ３１６´´〜Ａ３１９´´は、特許文献１のホットゾーン形成部よりも、拡散ゾーン形成部側に拡張された部分となっている。第１のホットゾーン形成部３１のセグメント分割数も、上下左右方向に任意でよい。なお、セグメントＡ３１５〜Ａ３１９の左右分割は、配光設計を容易にするためになされたものであり、その投影像は左右で同等のものとなるため、このうち一方のものを投影像ＰＡ３１５〜Ａ３１９として図示している。
【００４６】
左領域のセグメントＡ３１１〜Ａ３１３は、面状光源１１の光源像２２ｉを投影して、投影像ＰＡ３１１〜ＰＡ３１３で、ホットゾーンＰＡのうちの水平域を形成する。右領域のセグメントＡ３１４は、面状光源１１の光源像２２ｉを投影して、投影像ＰＡ３１４で、ホットゾーンＰＡのうち斜めカットオフラインＣＬ２と略平行に延在する域を広く形成する。この配光の詳細は、特許文献１に記載があるため省略する。
【００４７】
一方、右領域のセグメントＡ３１５〜Ａ３１９（セグメントＡ３１５´〜Ａ３１９´及びセグメントＡ３１５´´〜Ａ３１９´´）は、面状光源１１の光源像２２ｉを投影して、ホットゾーンＰＡ内に、投影像ＰＡ３１４よりも狭小な矩形の投影像ＰＡ３１５〜ＰＡ３１９を、その一長辺が斜めカットオフラインＣＬ２と略一致する位置に形成する。セグメントＡ３１５〜Ａ３１９は、面状光源の特性を利用して、面状光源１１との配置距離が遠い位置となるほど、すなわち、セグメントＡ３１９、Ａ３１８、Ａ３１７、Ａ３１６、Ａ３１５の順に、狭小で光度の高い投影像ＰＡ３１９、ＰＡ３１８、ＰＡ３１７、ＰＡ３１６、ＰＡ３１５を、消点に近づく方向に形成する。
【００４８】
以上の構成によれば、面状光源１１の光源像２２ｉの特性を考慮した上で、光源からの配置角が小の領域θｓのセグメントＡ３２１、Ａ３２２、Ａ３３１で、ホットゾーンＰＡを形成したので、ホットゾーンＰＡの照度が高まる。
【００４９】
特に、配置角小の領域θｓのうち、主に自車線走行側を照射する第２のホットゾーン形成部３２の、狭小で光度の高い投影像ＰＡ３２１、ＰＡ３２２を、斜めカットオフラインＣＬ２に沿って集中的に投影させたことで、斜めカットオフラインＣＬ２近傍の照度が高まる。また、配置角小の領域θｓのうち、主に対向車線側を照射する第３のホットゾーン形成部３３の、狭小で光度の高い投影像ＰＡ３３１を、水平カットオフラインＣＬ１に沿って集中的に投影させたことで、水平カットオフラインＣＬ１近傍の照度が高まる。
【００５０】
さらに、配置角大の領域θｂのうち、第３のホットゾーン形成部３３側の領域（配置角小の領域の水平カットオフラインを含む域を照射する側の領域）で、面状光源からの配置距離が遠い領域にあるセグメントＡ３１５〜Ａ３１９（特に、セグメントＡ３１６´´、Ａ３１７´´、Ａ３１８´´、Ａ３１９´´）の、狭小で光度の高い投影像ＰＡ３１５〜ＰＡ３１９を、斜めカットオフラインＣＬ２に沿って集中的に投影させたことで、斜めカットオフラインＣＬ２近傍の照度はさらに高まる。
【００５１】
ここで、リフレクタ１２は、配置角小の領域θｓのうち、主に自車線走行側を照射するに適した位置にある第２のホットゾーン形成部３２を、斜めカットオフラインＣＬ２の照度を上げるために利用し、主に対向車線側を照射するに適した位置にある第３のホットゾーン形成部３３を、水平カットオフラインＣＬ１の照度を上げるために利用している。これにより、リフレクタ１２の基本形状のもつ配光特性に倣ってロービーム用配光パターンＰＬを形成することができるので、リフレクタ１２の形状の複雑化が回避される。
【００５２】
図１０は本発明の一実施形態に係る配光と従来の形態に係る配光との比較図である。これは、水平路面上での配光パターンを平面視で示したもので、縦軸は車両用前照灯からの照射光の到達距離を示している。破線Ｐ１は、特許文献１の従来のリフレクタ構成により得られたもの、実線Ｐ２は、本実施例のリフレクタ１２の構成により得られたものである。図１０によれば、本実施例のリフレクタ１２の構成としたことにより、照射光の最大到達距離が延長し、遠方視認性が向上したことがわかる。
【００５３】
なお、好ましくは、面状光源１１は、面状光源１１の発光面２２ａの長手方向を、灯具前後方向（Ｆ-Ｂ方向）ではなく、左右方向（Ｌ-Ｒ方向）に取る「横置き」で配置する。さらに、横置きした上で、面状光源１１は、発光面２２ａの右端２２ａＲが、リフレクタ１２の焦点Ｆ１に一致するように配置するのが良い（図１参照）。これにより、より斜めカットオフラインＣＬ２に張りつくような投影像を形成することができるので、遠方視認性のさらなる向上につながる。
【００５４】
なお、リフレクタ１２の構成とすることによって、車両用前照灯１０の光源は、面状光源１１の一灯でよい。
【００５５】
なお、上述の実施例では、リフレクタ１２は、面状光源１１の下方に配置したが、面状光源１１の光軸Ａｙを上方にとり、リフレクタ１２を面状光源１１の上方に配置する構成としても良い。
【００５６】
また、上述の実施例は左配光における構成であるが、右配光とするときは、上述の構成を左右反転させればよい。このとき、リフレクタ１２の焦点Ｆ１は、面状光源１１の発光面２２ａの左端２２ａＬに合わせると良い。
【符号の説明】
【００５７】
２…ランプボディ、  ４…前面カバー、  ６…灯具ユニット、  １０…車両用前照灯、  １１…面状光源、  １２…リフレクタ、  １２ａ…リフレクタの反射面、  ２２ａ…面状光源の発光面、  ２２ａＲ，２２ａＬ…発光面の短辺端部、  ２２ｉ…光源像、  ３１…第１のホットゾーン形成部、  ３２…第２のホットゾーン形成部、  ３３…第３のホットゾーン形成部、  ４１…第１の拡散ゾーン形成部、  ４２…第２の拡散ゾーン形成部、  Ａｘ…リフレクタの光軸、  θ…配置角、  θｂ…配置角大の領域、  θｓ…配置角小の領域、  θｍ…配置角中の領域、  ＰＬ…ロービーム用配光パターン、  ＣＬ２…斜めカットオフライン、  ＣＬ１…水平カットオフライン、  ＰＡ…ホットゾーン、  ＰＢ…拡散ゾーン  Ａ３１１〜Ａ３１９，Ａ３２１〜Ａ３２２，Ａ３３１…セグメント、  ＰＡ３１１〜ＰＡ３１９，ＰＡ３２１〜ＰＡ３２２，ＰＡ３３１…セグメントの投影像
【図１】
2019021643.tif 000003
【図２】
2019021643.tif 000004
【図３】
2019021643.tif 000005
【図４】
2019021643.tif 000006
【図５】
2019021643.tif 000007
【図６】
2019021643.tif 000008
【図７】
2019021643.tif 000009
【図８】
2019021643.tif 000010
【図９】
2019021643.tif 000011
【図１０】
2019021643.tif 000012